(57)【特許請求の範囲】
【請求項１】
外部からの光を内部へ入射するための滑らかな面で形成された紫外線入射部と、少なくとも一端面に設けられると共に面積の総計が上記紫外線入射部の面積の１／４以下で１／５０以上とされ、かつ内部で発光された可視光を出力する可視光出力部と、を備えると共に、上記紫外線入射部から入射された上記紫外線の照射を受けて上記可視光を発光する蛍光物質を含有し、上記紫外線入射部から入射した紫外線を可視光に変換し上記可視光を内部における反射を利用して上記可視光出力部に集光し出力されるようにした長尺状または板状の略均質な物質で形成された可視光透過性部材を有し、上記可視光出力部を視認することにより、入射した紫外線量を可視光線量として測定可能とし、上記可視光透過性部材は、複数本設けられ、かつそれぞれ長尺状部材で構成されていると共に、その外周面を上記紫外線入射部とし、長手方向の少なくとも一端を上記可視光出力部とし、各可視光出力部が同一方向から同時に視認可能となるように並列に束ねられたことを特徴とする簡易紫外線測定器。
【請求項２】
前記複数の可視光透過性部材をそれぞれ円柱状とし、その中の１つを中心部に配置すると共に、他のものを中心部に配置された可視光透過性部材の外周側面の周囲を囲むように配置したことを特徴とする請求項１記載の簡易紫外線測定器。
【請求項３】
前記可視光透過性部材の所定の部位に、可視光を透過しない遮光部材を取り付け、この遮光部材によって、前記可視光透過性部材の外部から直接または反射あるいは透過により間接的に前記可視光出力部へ可視光が入射するのを防止するようにしたことを特徴とする請求項１または２記載の簡易紫外線測定器。
【請求項４】
前記可視光透過性部材の所定の部位に、可視光を反射する反射部を設け、この反射部により、当該反射部に向かう可視光を反射し、この反射光を前記可視光出力部側へ誘導するようにしたことを特徴とする請求項１から３のいずれか１項記載の簡易紫外線測定器。
【請求項５】
請求項１から４のいずれか１項記載の簡易紫外線測定器を保持する保持部材と、この保持部材を他の物品へ保持させることが可能なホルダー部材とを備えたことを特徴とする簡易紫外線測定器付きアクセサリー。
【請求項６】
外部からの光を内部へ入射するための滑らかな面で形成された紫外線入射部と、少なくとも一端面に設けられ内部で発光された可視光を出力する可視光出力部と、を備えると共に、上記紫外線入射部から入射された上記紫外線の照射を受けて上記可視光を発光する蛍光物質を含有し、上記紫外線入射部から入射した紫外線を可視光に変換し上記可視光を内部における反射を利用して上記可視光出力部に集光し出力されるようにした長尺状または板状の略均質な物質で形成された可視光透過性部材を有し、上記可視光出力部を視認することにより、入射した紫外線量を可視光線量として測定可能とすることが可能な簡易紫外線測定器を保持する保持部材と、この保持部材を他の物品へ保持させることが可能なホルダー部材とを備え、上記可視光透過性部材は、複数本設けられ、かつそれぞれ長尺状部材で構成されていると共に、その外周面を上記紫外線入射部とし、長手方向の少なくとも一端を前記可視光出力部とし、各可視光出力部が同一方向から同時に視認可能となるように並列に束ねられたことを特徴とする簡易紫外線測定器付きアクセサリー。
【請求項７】
外周側面に形成され外部からの光を内部へ入射するための滑らかな面で形成された紫外線入射部と、長手方向の少なくとも一端に設けられ内部で発光された可視光を出力する可視光出力部と、を備えると共に、上記紫外線入射部から入射された上記紫外線の照射を受けて上記可視光を発光する蛍光物質を含有し、上記紫外線入射部から入射した紫外線を可視光に変換し、上記可視光を内部における反射を利用して上記可視光出力部に集光し出力されるようにした長尺状の均質な物質で形成された可視光透過性部材を有し、当該可視光透過性部材の上記可視光出力部が設けられた側に、当該可視光透過性部材の端部側の一部を覆いさらに外側に突出するように取り付けられた筒状の遮光部材を設け、この遮光部材によって、上記可視光透過性部材の外部から直接または反射あるいは透過により間接的に上記可視光出力部へ可視光が入射するのを防止するように構成された簡易紫外線測定器を保持する保持部材と、この保持部材を他の物品へ保持させることが可能なホルダー部材とを備え、上記可視光透過性部材は、複数本設けられ、かつそれぞれ長尺状部材で構成されていると共に、その外周面を上記紫外線入射部とし、長手方向の少なくとも一端を上記可視光出力部とし、各可視光出力部が同一方向から同時に視認可能となるように並列に束ねられたことを特徴とする簡易紫外線測定器付きアクセサリー。
【請求項８】
前記保持部材が前記筒状の遮光部材に取り付けられ、この遮光部材が前記可視光透過性部材に対して着脱可能となっていることを特徴とする請求項７記載の簡易紫外線測定器付きアクセサリー。
【請求項９】
前記可視光透過性部材の前記筒状の遮光部材が取り付けられる側と対向する側の端面には、外部からこの端面を透過して反対側の端面に設けられた前記可視光出力部へ可視光が入射するのを防止する遮光面が設けられたことを特徴とする請求項７または８記載の簡易紫外線測定器付きアクセサリー。
【請求項１０】
前記可視光透過性部材の前記筒状の遮光部材が取り付けられる側と対向する側の端面には、内部で発光された可視光を反射する反射部を設け、この反射部により、当該反射部に向かう可視光を反射し、この反射光を前記可視光出力部側へ誘導するようにしたことを特徴とする請求項７，８または９記載の簡易紫外線測定器付きアクセサリー。
【請求項１１】
滑らかな面で形成された平面部およびこの平面部の裏側に配置された滑らかな面で形成された裏面部の少なくとも一方に形成され外部からの光を内部へ入射するための紫外線入射部と、側端面のうちの１つに形成されると共にその面積が上記紫外線入射部の面積の１／４以下とされ、かつ内部で発光された可視光を出力する可視光出力部と、上記紫外線入射部および上記可視光出力部が形成されていない面のうちの少なくとも一部に形成され、当該反射部に向かってくる上記可視光を反射し上記可視光出力部へ導く反射部と、を備えると共に、上記紫外線入射部から入射された上記紫外線の照射を受けて上記可視光を発光する蛍光物質を含有し、上記紫外線入射部から入射した紫外線を可視光に変換し、上記可視光を内部における反射および／または上記反射部での反射を利用して上記可視光出力部に集光し出力されるようにした板状の均一な物質で形成された可視光透過性部材を有し、この可視光透過性部材の上記可視光出力部の外側の面に沿うように取り付けられた光発電部材と、この光発電部材に接続されこの光発電部材から流れる電流値を計測する測定手段とを設け、上記可視光透過性部材は、複数本設けられ、かつそれぞれ長尺状部材で構成されていると共に、その外周面を上記紫外線入射部とし、長手方向の少なくとも一端を上記可視光出力部とし、各可視光出力部が同一方向から同時に視認可能となるように並列に束ねられたことを特徴とする簡易紫外線測定器。
【発明の詳細な説明】
【０００１】
【発明の属する技術分野】
本発明は、簡易紫外線測定器およびこの簡易紫外線測定器を有するアクセサリーに関する。
【０００２】
【従来の技術】
フロンガスの大量使用等が原因とされるオゾン層の破壊によって、地上へ届く有害な紫外線の量が増加している。この紫外線の増加は、皮膚ガンの発生の原因ともされ、人々の健康の面で社会問題化しつつある。このため、一般の人々の紫外線への関心度も高く、日常の生活において、紫外線の量等を気にする人が増えている。
【０００３】
事実、ＵＶ（紫外線）カットを謳った各種製品が、市場に流通しており、このような事からも紫外線に対する人々の関心度が高いことが窺える。このような状況から、どんな条件（時間帯や標高や天気等）で紫外線が強いのか等を測定するため、紫外線の量や照射の方向等を計測する装置が、従来から種々開発されてきている（特開２０００−２５８２４７公報等参照）。
【０００４】
【発明が解決しようとする課題】
しかし、従来の一般的な紫外線測定装置は、大がかりなものがほとんどで、一般の人が外出時に気軽に持ち歩くようなものではない。しかも、特開２０００−２５８２４７公報記載の装置も含め、従来の紫外線測定装置は、紫外線のエネルギーを漏れなくかつ正確に電圧値や電流値に変換して表示する構成となっているため、当該メーター類を作動させるための構造が複雑となり、また重い電源が必須の構成となっている。
【０００５】
このような要因から、紫外線測定装置は高価なものとなり、現在のところ一般の人々が外出時に気軽に携帯するようなものは存在しない。したがって、一般の人は、紫外線に関する簡単な情報、たとえば、紫外線が多くなりそうである等の情報を、天気予報等のメディアを通じて知るに止まっている。
【０００６】
本発明は、上述の問題点を解決するためになされたものであり、一般の人々が外出時に気軽に持ち歩きかつ外出先等で簡単に紫外線の量を把握できる簡易紫外線測定器および紫外線測定器付きアクセサリーを提供することを目的とする。
【０００７】
【課題を解決するための手段】
上述の目的を達成するため、本発明の簡易紫外線測定器は、外部からの光を内部へ入射するための滑らかな面で形成された紫外線入射部と、少なくとも一端面に設けられると共に面積の総計が紫外線入射部の面積の１／４以下で１／５０以上とされ、かつ内部で発光された可視光を出力する可視光出力部と、を備えると共に、紫外線入射部から入射された紫外線の照射を受けて可視光を発光する蛍光物質を含有し、紫外線入射部から入射した紫外線を可視光に変換し可視光を内部における反射を利用して可視光出力部に集光し出力されるようにした長尺状または板状の略均質な物質で形成された可視光透過性部材を有し、可視光出力部を視認することにより、入射した紫外線量を可視光線量として測定可能とし、可視光透過性部材は、複数本設けられ、かつそれぞれ長尺状部材で構成されていると共に、その外周面を紫外線入射部とし、長手方向の少なくとも一端を可視光出力部とし、各可視光出力部が同一方向から同時に視認可能となるように並列に束ねられている。
【０００８】
上述の発明の簡易紫外線測定器によれば、紫外線の照射を受けて可視光を発光する可視光透過性部材の可視光出力部に集光され出力される可視光を視認することにより紫外線量を測定することができる。なお、可視光出力部の面積は、紫外線入射部の面積の１／４以下に設定されているため、可視光が狭い部位に集められることとなり、視認し易いものとなる。しかも、当該測定器は、電源が不要であり、簡易な装置であるために気軽に持ち運ぶことが可能である。加えて、束ねられた複数の可視光透過性部材の各端面の可視光の出力状態（色の濃淡等）を比較することにより、どの可視光透過性部材に対して紫外線がより多く／少なく入射しているかを認識することができ、この結果、どの方向からより多く／少なく紫外線が入射しているかを測定することができる。
【０００９】
また、他の発明は、上述の簡易紫外線測定器において、複数の可視光透過性部材をそれぞれ円柱状とし、その中の１つを中心部に配置すると共に、他のものを中心部に配置された可視光透過性部材の外周側面の周囲を囲むように配置している。このため、周囲に配置された可視光透過性部材によって紫外線の入射を遮断された中央の可視光透過性部材の可視光出力部における可視光の出力状態（色の濃淡等）と、周囲に配置された可視光透過性部材のうち最も強く紫外線が照射された透過性部材の可視光出力部の出力状態（色の濃淡等）との対比が際だつ構成となる。これにより、紫外線の入射方向をより明確に視認することが可能となる。
【００１０】
また、他の発明は、上述の簡易紫外線測定器において、可視光透過性部材の所定の部位に、可視光を透過しない遮光部材を取り付け、この遮光部材によって、可視光透過性部材の外部から直接または反射あるいは透過により間接的に可視光出力部へ可視光が入射するのを防止するようにしている。このため、可視光出力部に外部からの余分な可視光が入射せず、可視光出力部の視認性が向上し、紫外線の測定が容易となる。
【００１１】
また、他の発明は、上述の簡易紫外線測定器において、可視光透過性部材の所定の部位に、可視光を反射する反射部を設け、この反射部により、当該反射部に向かう可視光を反射し、この反射光を可視光出力部側へ誘導するようにしている。このため、可視光出力部における光量が大となり、さらに可視光出力部での可視光の視認性が向上し、より紫外線の測定が容易となる。
【００１３】
また、本発明の簡易紫外線測定器付きアクセサリーは、上述の各簡易紫外線測定器を保持する保持部材と、この保持部材を他の物品へ保持させることが可能なホルダー部材とを備えている。そのため、電源が不要で持ち運びに便利な簡易紫外線測定器を、アクセサリー感覚で持ち歩くことができる。
【００１４】
また、他の本発明の簡易紫外線測定器付きアクセサリーは、外部からの光を内部へ入射するための滑らかな面で形成された紫外線入射部と、少なくとも一端面に設けられ内部で発光された可視光を出力する可視光出力部と、を備えると共に、紫外線入射部から入射された紫外線の照射を受けて可視光を発光する蛍光物質を含有し、紫外線入射部から入射した紫外線を可視光に変換し可視光を内部における反射を利用して可視光出力部に集光し出力されるようにした長尺状または板状の略均質な物質で形成された可視光透過性部材を有し、可視光出力部を視認することにより、入射した紫外線量を可視光線量として測定可能とすることが可能な簡易紫外線測定器を保持する保持部材と、この保持部材を他の物品へ保持させることが可能なホルダー部材とを備え、可視光透過性部材は、複数本設けられ、かつそれぞれ長尺状部材で構成されていると共に、その外周面を紫外線入射部とし、長手方向の少なくとも一端を可視光出力部とし、各可視光出力部が同一方向から同時に視認可能となるように並列に束ねられている。
【００１５】
上述の発明の簡易紫外線測定器付きアクセサリーによれば、電源が不要で、保持部材およびホルダー部材が取り付けられている以外の部分においては、均一な物質で構成されたいわゆる蛍光アクリル部材だけで構成された単純な構造で、かつ持ち運びに便利な簡易紫外線測定器を、アクセサリー感覚で持ち歩くことができる。加えて、束ねられた複数の可視光透過性部材の各端面の可視光の出力状態（色の濃淡等）を比較することにより、どの可視光透過性部材に対して紫外線がより多く／少なく入射しているかを認識することができ、この結果、どの方向からより多く／少なく紫外線が入射しているかを測定することができる。
【００１６】
また、他の発明の簡易紫外線測定器付きアクセサリーは、外周側面に形成され外部からの光を内部へ入射するための滑らかな面で形成された紫外線入射部と、長手方向の少なくとも一端に設けられ内部で発光された可視光を出力する可視光出力部と、を備えると共に、紫外線入射部から入射された紫外線の照射を受けて可視光を発光する蛍光物質を含有し、紫外線入射部から入射した紫外線を可視光に変換し、可視光を内部における反射を利用して可視光出力部に集光し出力されるようにした長尺状の均質な物質で形成された可視光透過性部材を有し、当該可視光透過性部材の可視光出力部が設けられた側に、当該可視光透過性部材の端部側の一部を覆いさらに外側に突出するように取り付けられた筒状の遮光部材を設け、この遮光部材によって、可視光透過性部材の外部から直接または反射あるいは透過により間接的に可視光出力部へ可視光が入射するのを防止するように構成された簡易紫外線測定器を保持する保持部材と、この保持部材を他の物品へ保持させることが可能なホルダー部材とを備え、可視光透過性部材は、複数本設けられ、かつそれぞれ長尺状部材で構成されていると共に、その外周面を紫外線入射部とし、長手方向の少なくとも一端を可視光出力部とし、各可視光出力部が同一方向から同時に視認可能となるように並列に束ねられている。
【００１７】
上述の発明の簡易紫外線測定器付きアクセサリーによれば、電源が不要で持ち運びに便利な簡易紫外線測定器を、アクセサリー感覚で持ち歩くことができる。加えて、可視光出力部へ直接入射しようとする外部からの可視光、および可視光出力部付近の外周面から透過や反射を利用して可視光出力部へ間接的に入射しようとする可視光の入射を防止する筒状の遮光部材を配置したため、可視光出力部へ余分な外部からの可視光が入射して可視光出力部の視認性が低下するという不具合がない。したがって、可視光出力部の視認性が良好で、紫外線の測定が容易な紫外線測定器付きアクセサリーとなる。加えて、束ねられた複数の可視光透過性部材の各端面の可視光の出力状態（色の濃淡等）を比較することにより、どの可視光透過性部材に対して紫外線がより多く／少なく入射しているかを認識することができ、この結果、どの方向からより多く／少なく紫外線が入射しているかを測定することができる。
【００１８】
また、他の発明は、上述の簡易紫外線測定器付きアクセサリーにおいて、保持部材が筒状の遮光部材に取り付けられ、この遮光部材が可視光透過性部材に対して着脱可能となっている。このため、遮光部材部分のデザイン性が高いものとなり、これを自在に付け替えることによって、アクセサリーとしての商品価値をより高めることができる。また、遮光部材や保持部材が破損した場合も取り替えが可能となり、より商品価値が高いものとなる。
【００１９】
また、他の発明は、上述の簡易紫外線測定器付きアクセサリーにおいて、可視光透過性部材の筒状の遮光部材が取り付けられる側と対向する側の端面には、外部からこの端面を透過して反対側の端面に設けられた可視光出力部へ可視光が入射するのを防止する遮光面が設けられている。このため、可視光出力部に外部からの余分な可視光が入射せず、可視光出力部の視認性が向上し、紫外線の測定が容易となる。
【００２０】
また、他の発明は、上述の簡易紫外線測定器付きアクセサリーにおいて、可視光透過性部材の筒状の遮光部材が取り付けられる側と対向する側の端面には、内部で発光された可視光を反射する反射部を設け、この反射部により、当該反射部に向かう可視光を反射し、この反射光を可視光出力部側へ誘導するようにしている。このため、可視光出力部における光量が大となり、さらに可視光出力部での可視光の視認性が向上し、より紫外線の測定が容易となる。
【００２１】
また、本発明の簡易紫外線測定器は、滑らかな面で形成された平面部およびこの平面部の裏側に配置された滑らかな面で形成された裏面部の少なくとも一方に形成され外部からの光を内部へ入射するための紫外線入射部と、側端面のうちの１つに形成されると共にその面積が紫外線入射部の面積の１／４以下とされ、かつ内部で発光された可視光を出力する可視光出力部と、紫外線入射部および可視光出力部が形成されていない面のうちの少なくとも一部に形成され、当該反射部に向かってくる可視光を反射し可視光出力部へ導く反射部と、を備えると共に、紫外線入射部から入射された紫外線の照射を受けて可視光を発光する蛍光物質を含有し、紫外線入射部から入射した紫外線を可視光に変換し、可視光を内部における反射および／または反射部での反射を利用して可視光出力部に集光し出力されるようにした板状の均一な物質で形成された可視光透過性部材を有し、この可視光透過性部材の可視光出力部の外側の面に沿うように取り付けられた光発電部材と、この光発電部材に接続されこの光発電部材から流れる電流値を計測する測定手段とを設け、可視光透過性部材は、複数本設けられ、かつそれぞれ長尺状部材で構成されていると共に、その外周面を紫外線入射部とし、長手方向の少なくとも一端を可視光出力部とし、各可視光出力部が同一方向から同時に視認可能となるように並列に束ねている。
【００２２】
上記の発明の簡易紫外線測定器によれば、紫外線の照射を受けて可視光を発光する板状の可視光透過性部材の側端面の１つに可視光出力部を備え、この可視光出力部に集光され出力された可視光量を、当該可視光出力部を備えた側端面に取り付けられた光発電部材に接続された測定手段によって電気的数値に置き換えて測定することができる。したがって、装置として小型化され、持ち運びもでき、しかも紫外線量を数値で計ることができるものとなる。加えて、束ねられた複数の可視光透過性部材の各端面の可視光の出力状態（色の濃淡等）を比較することにより、どの可視光透過性部材に対して紫外線がより多く／少なく入射しているかを認識することができ、この結果、どの方向からより多く／少なく紫外線が入射しているかを測定することができる。
【００２３】
【発明の実施の形態】
本発明の第１の実施の形態に係る簡易紫外線測定器について、図１から図３を参照しながら説明する。
【００２４】
図１は、本実施の形態に係る簡易紫外線測定器１の全体を示した正面図で、図２は、簡易紫外線測定器１を図１の矢示ＩＩ方向から見た側面図である。図３は、簡易紫外線測定器１を構成する複数の可視光透過性部材３の一つの構成を示した模式図である。
【００２５】
図１および図２に示すように、本発明の第１の実施の形態の簡易紫外線測定器１は、長尺状でかつ円柱状の可視光の透過率が高くほぼ無色透明な可視光透過性部材３が複数本（本実施の形態では７本）束ねられている。
【００２６】
可視光透過性部材３は、一般に「蛍光アクリル」と呼ばれるもので、紫外線を吸収して可視光を発光する蛍光物質２を内部にきわめて多数含有したほぼ均質な物質をファイバー状に成型したものとなっている。そして、その外形が、直径２ｍｍ〜３ｍｍ程度、長さ８ｃｍ程度の円柱状とされ、外観上、ほぼ無色透明とされている。可視光透過性部材３は、可視光に対する屈折率が外部側より内部側の方が高いため、外部から内部へ進入してきた可視光および内部で発光した可視光の中である程度入射角αの小さいものは内部と外部との境界面において全反射しながら進行していく。なお、本実施の形態は、このように、可視光透過性部材として、いわゆる蛍光アクリルを用いるものであり、情報通信等のケーブルとして利用される、コアとクラッドを持ち屈折率の差により光を進行させる光ファイバを用いる場合に比して構造が単純となり、コスト的に有利となる。ただし、蛍光アクリルの代わりに、コアとクラッドを有する光ファイバを使用するようにしても良い。
【００２７】
本実施の形態の簡易紫外線測定器１は、このような外形と性質を有する可視光透過性部材３を７本並列に束ねた形状となっており、しかも電源は必要なく、紫外線Ｕを検出できるものであるため、外出時に気軽に携帯でき、その外出先の様々な場所で紫外線の量および方向を調べることができるものとなっている。
【００２８】
以下、一つの可視光透過性部材３の構成について、図３を用いて説明する。また、この可視光透過性部材３を複数束ねて構成した簡易紫外線測定器１による紫外線Ｕの量および入射方向の検出方法については後述する。なお、以下、一つの可視光透過性部材３の構成について説明するが、他の可視光透過性部材３も同様の構造となっている。
【００２９】
可視光透過性部材３の外周側面３ａ全体は、地上に降り注いでいる電磁波の一部である光（紫外線Ｕを含む各種光線）を乱反射させずに透過するように滑らかな面で構成されており、可視光透過性部材３の内部へ光を照射させるための紫外線入射部となっている。すなわち、可視光透過性部材３は、後述するように、紫外線Ｕを除き全ての光を透過する部材となっている。
【００３０】
なお、本実施の形態では、紫外線入射部となる外周側面３ａの全表面積は、後述する可視光出力部４の表面積に対して非常に大きいものとされている。この構成は、外周側面３ａから入射した紫外線Ｕを受けて発光する可視光Ｘを、紫外線入射部に対して総面積の小さい可視光出力部４に集光し出力することにより、可視光出力部４の視認性を高めるためである。なお、本実施の形態では、紫外線入射部の面積を、可視光出力部４の面積の数十倍としたが、紫外線入射部の面積は、少なくとも可視光出力部４の総面積の４倍以上となるように構成すれば可視光Ｘの視認性が良いものとなる。視認性をさらに高めるには、８倍以上とするのが好ましい。また、５０倍以下とすると、可視光透過性部材３の全長が長くなり過ぎることが無く、持ち運びに便利となる。
【００３１】
可視光透過性部材３の内部には、日光中のエネルギーの高い紫外線Ｕの照射を受けると、エネルギーの低い可視光Ｘを発光する蛍光物質２がきわめて多数含有されている（図３では２つの蛍光物質２のみを示している）。この蛍光物質２は、４００ｎｍ（ナノメーター）以下の波長を有する紫外線Ｕの照射を受けると、この紫外線Ｕを励起源として、４００ｎｍ〜７００ｎｍの間の所定の波長となる可視光Ｘを発光するもので構成されている。
【００３２】
このため、可視光透過性部材３に紫外線Ｕが照射されると、紫外線Ｕが外周側面３ａを透過して内部に進行し、可視光透過性部材３の内部に含まれた蛍光物質２に照射される。これを受けて、多数の蛍光物質２は、可視光Ｘを全体として全方向に発散させることとなる。この結果、紫外線Ｕのほとんどは、この可視光透過性部材３を通過できず可視光Ｘに変換される。
【００３３】
この可視光透過性部材３の屈折率が高いため、外周側面３ａの内側の面は、内部で発光された可視光Ｘのうち外周側面３ａに対する入射角αが小さいものを全反射する全反射面となる。このため、各可視光透過性部材３の内部で発光され全方向に広がる可視光Ｘのうち入射角αが小さい可視光Ｘは、外周側面３ａの内側の面（可視光透過性部材３の内部と外部の境界面）で全反射されながら長手方向両端側へ進むこととなる。
【００３４】
可視光透過性部材３の一端面は、蛍光物質２から発光された可視光Ｘが集光され出力される可視光出力部４となっている。一方、可視光透過性部材３の他端面は、反射率の高い物質で構成された反射部５となっている。
【００３５】
このため、蛍光物質２から発光され、可視光出力部４側へ進んだ可視光Ｘは、可視光出力部４に集光され出力される。また、蛍光物質２から発光され、反射部５側へ進んだ可視光Ｘは、反射部５で反射され、可視光透過性部材３の外周側面３ａの内側の面で数回反射されながら可視光出力部４に集光され出力される。
【００３６】
このため、可視光出力部４では、可視光透過性部材３内の全蛍光物質２から発光された可視光Ｘのうち外周側面３ａに対しての入射角αが小さくなる可視光Ｘが、全て集光されることとなる。なお、可視光出力部４を可視光透過性部材３の一端のみとせず両端としても良い。すなわち、可視光透過性部材３の長手方向他端面に反射部５を設けずに、この部分も可視光出力部４としても良い。
【００３７】
しかし、可視光透過性部材３の他端に反射部５を設けないと、両端に設けられることとなる可視光出力部のそれぞれに他端側に配置された可視光出力部から、蛍光物質２から発せられた可視光Ｘ以外の光が入射されることとなり、可視光Ｘの視認性が確保出来ないおそれがある。そのため、本実施の形態では、可視光透過性部材３の他端側に反射部５を設けて遮光し、一端に配置された可視光出力部４へ他端側から可視光Ｘ以外の光が入るのが防止することにより、可視光Ｘを確実に認識できるようにしている。
【００３８】
加えて、本実施の形態では、可視光透過性部材３の他端側を単に遮光するだけでなく、反射部５を設けることにより反射部５側に向かってきた可視光Ｘを反射させて、可視光Ｘを一端側の可視光出力部４へ導いている。このため、可視光出力部４に集光され出力される可視光Ｘの光量を向上させることができ、可視光出力部４における可視光Ｘの視認性をさらに向上させることができる。しかし、可視光透過性部材３の他端に反射部５を設けず、単に遮光するのみの構成としても良い。なお、反射部５としては、アルミ箔を可視光透過性部材３の他端に貼り付ける構成にしたり、アルミ等の金属材を蒸着等で可視光透過性部材３の他端に膜状に設置する構成とすることができる。
【００３９】
上述した構成により、可視光透過性部材３に紫外線Ｕが入射すると、可視光出力部４は、可視光Ｘが出射してくる状態となり、例えば４００ｎｍ〜４５０ｎｍの波長を有する青紫色が表示される。これによって、この簡易紫外線測定器１では、紫外線量を可視光線量として、その表示される色にて測定可能とすることができる。一方、紫外線Ｕが入射していない状態においては、可視光透過性部材３の可視光出力部４には可視光Ｘが集光されず、可視光出力部４は、ほぼ無色透明状態となる。また、紫外線Ｕ以外の光は、そのままこの可視光透過性部材３を通過するので、この可視光透過性部材３は見た目上はほぼ透明な部材と把握される。
【００４０】
なお、本実施の形態では、青紫色となる波長の可視光Ｘが発光される蛍光物質２を用いたが、他の蛍光物質２を使用しても良い。すなわち、他の性質の蛍光物質２を用いることにより、他の波長の可視光Ｘが発光され、可視光出力部４に他の色が表示されるように構成しても良い。
【００４１】
また、可視光透過性部材３内に、３２０ｎｍ〜４００ｎｍのＵＶ−Ａ（紫外線の一種）の照射を受けると所定の波長の可視光を発光する蛍光物質、２８０ｎｍ〜３２０ｎｍのＵＶ−Ｂ（紫外線の一種）の照射を受けると所定の波長の可視光を発光する蛍光物質、２８０ｎｍ以下のＵＶ−Ｃ（紫外線の一種）を受けると所定の波長の可視光を発光する蛍光物質等、多種の蛍光物質を配置し、紫外線の種類によって異なる色を可視光出力部４に表示させるように構成しても良い。
【００４２】
なお、本実施の形態では、上述したように、各可視光透過性部材３は円柱状に構成されているが、各可視光透過性部材３は角柱状であっても良い。また、可視光出力部４と反射部５のいずれか一方側を太くし、他方側を細くしたものとしたり、長尺状の一部分の断面形状が他の部分の断面形状と異なる構成のものとしても良い。
【００４３】
本実施の形態の簡易紫外線測定器１は、上述したように構成された円柱状の可視光透過性部材３を７本用いて、これらを並列に配置し束状にした構成となっている。さらに詳しく述べると、中心部に１つの可視光透過性部材３（以下、中心部可視光透過性部材３Ａという）を配置し、この中心部可視光透過性部材３Ａの外周側面３ａの周囲を囲むように、他の６つの可視光透過性部材３（以下、周囲可視光透過性部材３Ｂという）が配置されている。簡易紫外線測定器１は、６つの円柱状の周囲可視光透過性部材３Ｂの外形を、囲むようにつなぐ仮想線Ｙで結ぶと、その仮想線Ｙの形状が略正６角形となるように構成されている。なお、束状にする場合、後述する保持部材１１を利用しても良いが、輪ゴムで束ねたり、接着剤を部分的に塗ることで束ねたりすることができる。
【００４４】
図２は、１つの周囲可視光透過性部材３Ｂの外周側面３ａから外光が矢示Ａのように入射してくる場合を示している。すなわち、簡易紫外線測定器１の、中心部可視光透過性部材３Ａの中心ｏ１から周囲可視光透過性部材３Ｂのうちの一つの中心ｏ２へ向かう直線の延長方向Ａから簡易紫外線測定器１へ向かって紫外線Ｕを含んだ外光が照射されると、図２において最上段に配置された周囲可視光透過性部材３Ｂと２段目に配置される２つの周囲可視光透過性部材３Ｂの計３つの周囲可視光透過性部材３Ｂ（符号Ｃで示すハッチングがなされている周囲可視光過性部材３Ｂを示す）の各外周側面３ｂに紫外線Ｕが入射することとなる。
【００４５】
このため、紫外線Ｕが入射された上述の計３つの周囲可視光透過性部材３Ｂの内部にそれぞれ配置された蛍光物質２からは青紫色の可視光Ｘが発光され、これらの可視光Ｘが各周囲可視光透過性部材３Ｂの可視光出力部４に集まる。この結果、これら計３つの周囲可視光透過性部材３Ｂの可視光出力部４には、青紫色が表示される。なお、中心部可視光透過性部材３Ａにも、周囲可視光透過性部材３Ｂを透過した紫外線Ｕがわずかながら到達する。しかし、到達してくる紫外線Ｕの量は、極めて少なく、青紫色の可視光Ｘは中心部可視光透過性部材３Ａの可視光出力部４にはほとんど集まらない。
【００４６】
なお、図２においては、上述したように、最上段に配置された周囲可視光透過性部材３Ｂ側から紫外線Ｕが入射しており、２段目の２つの周囲可視光透過性部材３Ｂにも紫外線Ｕは入射するが、２段目の２つの周囲可視光透過性部材３Ｂにおいては、図２の最上段の周囲可視光透過性部材３Ｂと一部が重なることとなり、２段目の周囲可視光透過性部材３Ｂに到達する紫外線Ｕの光量は最上段の周囲可視光透過性部材３Ｂに比べて少ない。
【００４７】
すなわち、最上段の周囲可視光透過性部材３Ｂに入射する紫外線Ｕの光量が最も大きく、他の２つの周囲可視光透過性部材３Ｂに入射する紫外線Ｕの光量は最上段のものに比べて少なくなる。なお、紫外線Ｕの照射方向が、中心部可視光透過性部材３Ａの中心ｏ１から周囲可視光透過性部材３Ｂのうちの一つの中心ｏ２へ向かう直線の延長方向Ａから正確に簡易紫外線測定器１へ直進している場合は、２つの２段目の周囲可視光透過性部材３Ｂに入射する紫外線Ｕの光量は同程度の光量となる。
【００４８】
このような状況において、これら３つの周囲可視光透過性部材３Ｂの可視光出力部４における可視光Ｘとなる青紫色を見ると、最上段に配置された周囲可視光透過性部材３Ｂの可視光出力部４の青紫色の量が他の２つの周囲可視光透過性部材３Ｂの可視光出力部４の青紫色の量より多くなることで見た目上濃く表示される。また、他の２つの周囲可視光透過性部材３Ｂの青紫色は同量となり、同じ濃さとして表示される。このように色の濃淡が表示されることにより、紫外線Ｕの入射方向をある程度正確に検出することができる。
【００４９】
なお、２段目の周囲可視光透過性部材３Ｂ同士の可視光出力部４の色に違いがある場合は、その色の違いによってどの方向から紫外線Ｕが入射しているかが判断できる。また、２段目の周囲可視光透過性部材３Ｂの可視光出力部４の色に違いが生じた場合、両者の色が同じ程度となるように微妙に簡易紫外線測定器１を回転させる方法も採用できる。これによって、中心部可視光透過性部材３Ａの中心ｏ１と周囲可視光透過性部材３Ｂの一つの中心ｏ２の延長線上から紫外線Ｕが照射されていることが識別でき、紫外線Ｕの入射方向を正確に検出することができる。
【００５０】
一方、これら３つの周囲可視光透過性部材３Ｂと重なるように配置されている、中心部可視光透過性部材３Ａと、３段目および最下段に配置された計３つの周囲可視光透過性部材３Ｂ、すなわち計４つの可視光透過性部材３には、紫外線Ｕがほとんど入射されない。このため、これら計４つの可視光透過性部材３の内部にそれぞれ配置された蛍光物質２からは、可視光Ｘがほとんど発光されず、これらの紫外線Ｕが照射されない各可視光透過性部材３の端面に配置された可視光出力部４は可視光透過性部材３の元々の色であるほぼ無色透明の状態が維持される。
【００５１】
このようにほぼ無色透明状態の４つの可視光透過性部材３、特に中央の中心部可視光透過性部材３Ａと、上述した青紫色が表示された３つの周囲可視光透過性部材３Ｂとの色の違いを対比することにより、この簡易紫外線測定器１においては、簡単な構造で、紫外線Ｕの照射方向および光量が知覚（視認）可能となる。
【００５２】
次に、上述した構成の簡易紫外線測定器１を備えたアクセサリーの一例について、図４および図５を用いて説明する。
【００５３】
簡易紫外線測定器１付きアクセサリー１０は、簡易紫外線測定器１と、この簡易紫外線測定器１を保持する保持部材１１と、保持部材１１に取り付けられたホルダー部材１３から構成される。
【００５４】
簡易紫外線測定器１は、その外周部分の一部が当該外周部分の外側に配置される保持部材１１によって保持されている。より具体的に言うと、保持部材１１は、多角形の板状部材で構成されており、簡易紫外線測定器１を内側に挿通させるための保持孔１２を有している。この保持孔１２は、簡易紫外線測定器１を可視光出力部４側もしくは反射部５側から見た形状に対して若干大きい同形状の孔で構成されている。
【００５５】
そして、保持部材１１の保持孔１２に対し、簡易紫外線測定器１を可視光出力部４側もしくは反射部５側から所定の深さまで圧入し接着剤で固定する。これにより、簡易紫外線測定器１は、保持部材１１に固定される。この実施の形態では、可視光出力部４側が保持部材１１からわずかに突出した状態とされている。
【００５６】
また、保持部材１１には、ホルダー部材１３を取り付けるための丸孔１４が設けられている。この丸孔１４には、他の物品（図示省略）へ保持させることが可能なホルダー部材１３を備えたチェーン１５が取り付けられる。これにより、保持部材１１に保持された簡易紫外線測定器１は、ホルダー部材１３によって鞄、携帯電話、キーホルダー等に取り付け可能となる。
【００５７】
なお、上述のアクセサリー１０は、短いチェーン１５に繋がれたホルダー部材１３により他の物品へ取り付けられるキーホルダー方式のもので構成されたが、簡易紫外線測定器１付きのアクセサリーとして他の構造を採用しても良い。例えば、保持部材１１に長いチェーンを取り付けてネックレスのような形式としても良い。また、保持部材１１を反射部５側の近傍に設けたり、２つの保持部材１１を簡易紫外線測定器１の各端部近傍に設けるようにしても良い。
【００５８】
なお、上述の第１の実施の形態は、本発明の好適な実施の形態の例であるが、これに限定されるものではなく、本発明の要旨を逸脱しない範囲において、種々変形実施可能である。以下に、他の各例を第２、第３および第４の実施の形態として、図面に基づいて説明する。なお、以下に示す第２および第３の実施の形態は、それぞれ簡易紫外線測定器付きアクセサリーとして説明するが、他の物品への取り付け部材を取り外せば、アクセサリーとしての用途を有しない単なる簡易紫外線測定器となるものである。
【００５９】
まず、本発明の第２の実施の形態に係る簡易紫外線測定器付きアクセサリー３０について、図６及び図７を用いて説明する。以下の第２の実施の形態に関する説明において、上述した第１の実施の形態と同様の構成に関しては説明を簡略化または省略し、かつ同一の構成のものに関しては同一の符号を付するものとする。
【００６０】
図６は、第２の実施の形態の簡易紫外線測定器付きアクセサリー３０の全体を示した分解斜視図である。本発明の第２の実施の形態の簡易紫外線測定器付きアクセサリー３０は、長尺状でかつ円柱状で可視光の透過率が高くほぼ無色透明の可視光透過性部材３２と、この可視光透過性部材３２に着脱可能な保持部材となる筒状の遮光部材３６と、この遮光部材３６に取り付けられたチェーン３５と、このチェーン３５につながれたホルダー部材３４を有している。なお、この可視光透過性部材３２は、上述した第１の実施の形態の可視光透過性部材３よりも太径となっている。
【００６１】
可視光透過性部材３２は、一般に「蛍光アクリル」と呼ばれるもので、紫外線Ｕを吸収して可視光を発光する蛍光物質２を内部にきわめて多数含有したほぼ均質な物質をファイバー状に成型したものとなっている。そして、その外形が、直径１０ｍｍ程度、長さ５．３ｃｍ程度の円柱状とされ、外観上、ほぼ無色透明とされている。可視光透過性部材３２は、可視光に対する屈折率が外部側より内部側の方が高いため、外部から内部へ進入してきた可視光および内部で発光した可視光の中である程度入射角の小さいものは内部と外部との境界面において全反射しながら進行していく。
【００６２】
可視光透過性部材３２の外周側面３２ａ全体は、地上に降り注いでいる電磁波の一部である光（紫外線Ｕを含む各種光線）を乱反射させずに透過するように滑らかな面で構成されており、可視光透過性部材３２の内部へ光を照射させるための紫外線入射部となっている。
【００６３】
なお、この紫外線入射部となる外周側面３２ａの表面積は、後述する可視光出力部４の表面積の総計に対して非常に大きいものとされている。この構成は、外周側面３２ａから入射した紫外線Ｕを受けて発光する可視光を、紫外線入射部に対して総面積の狭い可視光出力部４に集光して出力することにより、可視光出力部４の視認性を高めるためである。なお、この第２の実施の形態では、紫外線入射部の面積が、可視光出力部４の面積の１０倍程度となっているが、紫外線入射部の面積は、少なくとも可視光出力部４の総面積の４倍以上で５０倍以下となるように構成すればよい。加えて、この第２の実施の形態では、後述する筒状の遮光部材３６がホルダー部材３４と一体的に、可視光透過性部材３２の可視光出力部４側に着脱可能に取り付けられ、この遮光部材３６によって、可視光出力部４へ外部から可視光が直接、または反射あるいは透過により間接的に入射するのを防止するため、可視光出力部４の視認性がさらに向上したものとなる。
【００６４】
可視光透過性部材３２の内部には、日光中のエネルギーの高い紫外線Ｕの照射を受けると、エネルギーの低い可視光を発光する蛍光物質２がきわめて多数含有されている。なお、この蛍光物質２は、上述した第１の実施の形態の蛍光物質２の構成および性質と同様である。
【００６５】
このため、可視光透過性部材３２に紫外線Ｕが照射されると、紫外線Ｕが外周側面３２ａを透過して内部に進行し、可視光透過性部材３２の内部に含まれた蛍光物質２に照射される。これを受けて、多数の蛍光物質２は、可視光を全体として全方向に発散させることとなる。この結果、紫外線Ｕのほとんどは、この可視光透過性部材３２を通過できず可視光に変換される。
【００６６】
外周側面３２ａの内側の面は、内部で発光された可視光のうち外周側面３２ａに対する入射角αが小さいものを全反射する全反射面となっている。このため、可視光透過性部材３２の内部で発光され全方向に広がる可視光のうち入射角αが小さい可視光は、外周側面３２ａの内側の面（可視光透過性部材３２の内部と外部の境界面）で全反射されながら長手方向両端側へ進むこととなる。
【００６７】
可視光透過性部材３２の一端面は、蛍光物質２から発光された可視光が集光され出力される可視光出力部４となっている。一方、可視光透過性部材３の他端面は、反射率の高い物質で構成された反射部５となっている。
【００６８】
このため、蛍光物質２から発光され、可視光出力部４側へ進んだ可視光は、可視光出力部４に集光されて可視光出力部４に出力される。また、蛍光物質２から発光され、反射部５側へ進んだ可視光は、反射部５で反射され、可視光透過性部材３２の外周側面３２ａの内側の面で数回反射されながら可視光出力部４に集光され出力される。
【００６９】
このため、可視光出力部４では、可視光透過性部材３２内の全蛍光物質２から発光された可視光のうち外周側面３２ａに対しての入射角αが小さくなる可視光が、全て集光されることとなる。なお、可視光出力部４を可視光透過性部材３２の一端のみとせず両端としても良い。すなわち、可視光透過性部材３２の長手方向他端面に反射部５を設けずに、この部分も可視光出力部４としても良い。
【００７０】
しかし、可視光透過性部材３２の他端に反射部５を設けないと、両端に設けられることとなる可視光出力部のそれぞれに他端側に配置された可視光出力部から、蛍光物質から発せられた可視光以外の光が入射されることとなり、可視光の視認性が確保出来ないおそれがある。そのため、この第２の実施の形態でも、上述の第１の実施の形態と同様、可視光透過性部材３２の他端側に反射部５を設けて遮光し、一端に配置された可視光出力部４へ他端側から可視光以外の光が入るのが防止することにより、可視光を確実に認識できるようにしている。
【００７１】
加えて、第２の実施の形態では、可視光透過性部材３２の他端側を単に遮光するだけでなく、反射部５を設けることにより反射部５側に向かってきた可視光をこの反射部５で反射させて、可視光を一端側の可視光出力部４へ導いている。このため、可視光出力部４に集光され出力される可視光の光量を向上させることができ、可視光の視認性をさらに向上させることができる。しかし、可視光透過性部材３２の他端に反射部５を設けず、単に遮光するのみの構成としても良い。なお、反射部５としては、アルミ箔を可視光透過性部材３２の他端に貼り付ける構成にしたり、アルミ等の金属材を蒸着等で可視光透過性部材３２の他端に膜状に設置する構成とすることができる。
【００７２】
上述した構成により、可視光透過性部材３２に紫外線Ｕが入射すると、可視光出力部４は、可視光が出射してくる状態となり、例えば４００ｎｍ〜４５０ｎｍの波長を有する青紫色が表示される。一方、紫外線Ｕが入射していない状態においては、可視光透過性部材３２の可視光出力部４には可視光が集光されず、可視光出力部４は、ほぼ無色透明状態となる。また、紫外線Ｕ以外の光は、そのままこの可視光透過性部材３２を通過するので、この可視光透過性部材３２は見た目上はほぼ透明な部材と把握される。
【００７３】
なお、この第２の実施の形態では、上述したように、可視光透過性部材３２は円柱状に構成されているが、可視光透過性部材３２は角柱状であっても良い。また、可視光出力部４と反射部５のいずれか一方側を太くし、他方側を細くしたものとしたり、長尺状の一部分の断面形状が他の部分の断面形状と異なる構成のものとしても良い。
【００７４】
図７は、上述した可視光透過性部材３２の可視光出力部４側に、ホルダー部材３４を有する筒状の遮光部材３６を装着した状態を示した要部平面図である。図７に示すように、遮光部材３６は、外周面に遮光用のアルミ箔が貼付された筒状の部材で構成され、内周の直径が可視光透過性部材３２の外周面の直径より若干大きいものとなっている。また、遮光部材３６の長手方向一端近傍には、孔が設けられ、この孔にチェーン３５の一端が取り付けられ、さらにこのチェーン３５の他端にはホルダー部材３４が取り付けられている。この構成により、保持部材となる筒状の遮光部材３６に保持された簡易紫外線測定器３０は、ホルダー部材３４によって鞄、携帯電話、キーホルダー等に取り付け可能となる。なお、遮光部材３６に対する可視光透過性部材３２の係止は、両者の圧入固定としているが、遮光部材３６の内側に弾性を有する突起を設け、可視光透過性部材３２の外周面にその突起がはまり込む凹部を設けるような構成やその他の構成としても良い。
【００７５】
遮光部材３６は、チェーン３５が取り付けられていない側の端部から可視光透過性部材３２の可視光出力部４側に挿入される。なお、この遮光部材３６は、当該遮光部材３６の一端側が可視光透過性部材３２の可視光出力部４側の端部から長手方向中央方向にかけての一部を覆う状態で、かつ遮光部材３６の他端側が可視光透過性部材３２の可視光出力部４側の端部からさらに外側に突出する状態となるように取り付けられる。
【００７６】
利用者は、遮光部材３６の他端側の可視光出力部４から突出した側から、筒状の遮光部材３６の奥側に配置される可視光出力部４を覗き見ることにより（図７中の矢印Ｙ方向参照）、可視光出力部４に出力された可視光を視認することができる。なお、本実施の形態では、可視光出力部４は１つのみとなっており、他に隣接された可視光出力部はないため、他との色の比較で紫外線Ｕの入射方向を検査するという構成とはなっていないが、表示される色の濃さにより紫外線Ｕの強度について、ある程度認識することができる。
【００７７】
上述の構成により、遮光部材３６によって、可視光透過性部材３２の外部から、直接または反射あるいは透過により間接的に、可視光出力部４へ可視光が入射するのを防止し、可視光出力部４での視認性を向上させることができる。すなわち、図７に示すように、外部から可視光透過性部材３２の外周面部３２ａの可視光出力部４近傍へ入射し、そのまま透過して可視光出力部４へ入射しようとする可視光Ｘ１や、透過した後さらに反射を利用して可視光出力部４へ入射しようとする可視光Ｘ２や、遮光部材３６がなければ可視光出力部４の外面側から直接的に可視光出力部４に入射しようとする可視光Ｘ３が、上述の遮光部材３６によってその可視光出力部４への入射を阻止される。これによって、可視光出力部４への余分な可視光Ｘ１，Ｘ２，Ｘ３の入射がなく、可視光出力部４は視認性が良好となる。
【００７８】
なお、この第２の実施の形態における遮光部材３６の挿入状態は、半分程度が可視光透過性部材３２の外周面部３２ａを覆い、残りの半分程度が可視光出力部４からさらに外側へ突出するようになっている。しかし、この挿入状態は、特にこのようなものに限定されるものではなく、ある程度、遮光部材３６の一部が可視光出力部４の外側へ突出するように挿入されるのが好ましい。また、遮光部材３６を奥まで挿入することにより、遮光部材３６の孔に取り付けられたチェーン３５の一端が可視光透過性部材３２の端面、すなわち可視光出力部４に当接させ、それ以上奥へは挿入できない状態まで挿入するようにしても良い。
【００７９】
なお、筒状の遮光部材３６の内周面の直径は、可視光透過性部材３２の外周面部３２ａの直径に対して若干は大きいもののほぼ同じサイズとなっており、遮光部材３６はある程度窮屈な状態で可視光透過性部材３２に挿入される。すなわち、圧入に近い状態で、遮光部材３６は可視光透過性部材３２に挿入される。そのため、遮光部材３６が可視光透過性部材３２に一旦はめ込まれると、チェーン３５側からある程度の力で引っ張っても、遮光部材３６は可視光透過性部材３２から抜けないものとなる。
【００８０】
なお、上述した第２の実施の形態では、可視光透過性部材３２に、ホルダー部材３４を備えた遮光部材３６を着脱自在に取り付ける構成としたが、遮光部材３６は着脱自在とせず、可視光透過性部材３２の可視光出力部４側に先端が外側に突出した状態で固定されていても良い。また、ホルダー部材３４を備えたチェーン３５を、留め金等で可視光透過性部材３２に回動自在あるいは回動不能に直接的に取り付け、筒状の遮光部材３６を有しない構成としても良い。また、持ち運びに便利で他の物品への保持が可能なホルダー部材３４およびチェーン３５を筒状の遮光部材３６から取り外し、筒状の遮光部材３６のみを可視光透過性部材３２の可視光出力部４側へ取り付けるものとしても良い。さらには、ホルダー部材３４を備えたチェーン３５、および遮光部材３６の全てを可視光透過性部材３２から取り外した構成、すなわち、可視光透過性部材３２のみの構成としても良い。このような構成としても、簡易紫外線測定器としての機能は十分備えているものとなる。
【００８１】
上述したように構成された本発明の第２の実施の形態の簡易紫外線測定器３０は、構造が単純で、携帯性に優れ、どこにでも持ち運び可能でかつ容易に紫外線の量や方向等を測定することができる。
【００８２】
次に、本発明の第３の実施の形態に係る簡易紫外線測定器付きアクセサリー４０について、図８を用いて説明する。以下の第３の実施の形態に関する説明において、上述した第１および第２の実施の形態と同様の構成に関しては説明を簡略化または省略し、かつ同一の構成のものに関しては同一の符号を付するものとする。
【００８３】
図８は、第３の実施の形態の簡易紫外線測定器付きアクセサリー４０の全体を示した斜視図である。本発明の第３の実施の形態の簡易紫外線測定器付きアクセサリー４０は、略正方形の板状で可視光の透過率が高い、外観上ほぼ無色透明な可視光透過性部材４２と、この可視光透過性部材４２の隅近傍に形成された孔４２ａに取り付けられたチェーン４５と、このチェーン４５につながれたホルダー部材４６を有している。この構成により、この簡易紫外線測定器付きアクセサリー４０は、鞄、携帯電話、キーホルダー等に取り付け可能となる。
【００８４】
可視光透過性部材４２は、一般に「蛍光アクリル」と呼ばれるもので、紫外線Ｕを吸収して可視光を発光する蛍光物質（図示省略）を内部にきわめて多数含有したほぼ均質な物質をファイバー状に成型したものとなっている。そして、その外形が、略３ｃｍ四方の正方形の板状とされ、外観上、ほぼ無色透明とされている。可視光透過性部材４２は、可視光に対する屈折率が外部側より内部側の方が高いため、外部から内部へ進入してきた可視光および内部で発光した可視光の中である程度入射角の小さいものは内部と外部との境界面において全反射しながら進行していく。
【００８５】
可視光透過性部材４２の表面４２ｂ全体および裏面４２ｃ全体は、地上に降り注いでいる電磁波の一部である光（紫外線Ｕを含む各種光線）を乱反射させずに透過するように滑らかな面で構成されており、可視光透過性部材４２の内部へ光を照射させるための紫外線入射部となっている。
【００８６】
なお、この紫外線入射部となる表面４２ｂおよび裏面４２ｃの表面積は、後述する可視光出力部４４の表面積の総計に対して非常に大きいものとされている。この構成は、表面４２ｂおよび裏面４２ｃから入射した紫外線Ｕを受けて発光する可視光を、紫外線入射部に対して総面積の狭い可視光出力部４４に集光して出力することにより、可視光出力部４４の視認性を高めるためである。なお、この第３の実施の形態では、紫外線入射部の面積を、可視光出力部４４の面積の数十倍としたが、紫外線入射部の面積は、少なくとも可視光出力部４４の総面積の４倍以上で５０倍以下となるように構成すればよい。
【００８７】
可視光透過性部材４２の内部には、日光中のエネルギーの高い紫外線Ｕの照射を受けると、エネルギーの低い可視光を発光する蛍光物質がきわめて多数含有されている。なお、この蛍光物質は、上述した第１および第２の実施の形態の蛍光物質の構成および性質と同様である。
【００８８】
このため、可視光透過性部材４２に紫外線Ｕが照射されると、紫外線Ｕが表面４２ｂまたは裏面４２ｃを透過して内部に進行し、可視光透過性部材４２の内部に含まれた蛍光物質に照射される。これを受けて、多数の蛍光物質は、可視光を全体として全方向に発散させることとなる。この結果、紫外線Ｕのほとんどは、この可視光透過性部材４２を通過できず可視光に変換される。
【００８９】
表面４２ｂおよび裏面４２ｃの内側の面は、内部で発光された可視光のうち表面４２ｂおよび裏面４２ｃに対する入射角が小さいものを全反射する全反射面となっている。このため、可視光透過性部材４２の内部で発光され全方向に広がる可視光のうち入射角が小さい可視光は、表面４２ｂおよび裏面４２ｃの内側の面（可視光透過性部材４２の内部と外部の境界面）で全反射されながら可視光出力部４側へ進むこととなる。
【００９０】
可視光透過性部材４２の４つの外周端面は、蛍光物質から発光された可視光が集光され出力される可視光出力部４４となっている。そのため、可視光透過性部材４２内の蛍光物質から発光され、可視光出力部４４側へ進んだ可視光は、可視光出力部４４に集光され出力される。すなわち、可視光出力部４４には、可視光透過性部材４２内の全蛍光物質から発光された可視光のうち表面４２ｂおよび裏面４２ｃに対しての入射角が小さくなる可視光が集められることとなる。このため、利用者は、上述の可視光出力部４４に出力された可視光量を視認することによって、可視光透過性部材４２に入射している紫外線量を測定することができる。
【００９１】
なお、この第３の実施の形態では、４つの外周端面を全て可視光出力部４４とし、反射部を設けない構成としたが、４つの外周端面のうちのいすれか１つまたは複数を可視光出力部とし、残りの外周端面に反射部を設ける構成としても良い。さらに、反射部ではなく、単に遮光をする遮光面を、可視光出力部４４が設けられている外周端面以外の外周端面に設けても良い。
【００９２】
上述した構成により、可視光透過性部材４２に紫外線Ｕが入射すると、可視光出力部４４は、可視光が出射してくる状態となり、例えば４００ｎｍ〜４５０ｎｍの波長を有する青紫色が表示される。一方、紫外線Ｕが入射していない状態においては、可視光透過性部材４２の可視光出力部４４には可視光が集光されず、可視光出力部４４は、ほぼ無色透明状態となる。また、紫外線Ｕ以外の光は、そのままこの可視光透過性部材４２を通過するので、この可視光透過性部材４２は見た目上はほぼ透明な部材と把握される。
【００９３】
このように構成された可視光透過性部材４２の４隅のうちの１つの近傍には、孔４２ａが設けられている。この孔４２ａには、チェーン４５の一端が取り付けられ、さらにこのチェーン４５の他端にはホルダー部材４６が取り付けられている。
【００９４】
上述したように構成された本発明の第３の実施の形態の簡易紫外線測定器４０は、構造が単純で、携帯性に優れ、どこにでも持ち運び可能でかつ容易に紫外線の量や方向等を測定することができる。
【００９５】
なお、上述した第３の実施の形態では、可視光透過性部材４２に、ホルダー部材４６を備えたチェーン４５を取り付ける構成としたが、ホルダー部材４６およびチェーン４５を有しない構成としても良い。すなわち、このような構成としても、簡易紫外線測定器としての機能を備えているためである。
【００９６】
次に、本発明の第４の実施の形態に係る簡易紫外線測定器について、図９および図１０を参照しながら説明する。なお、以下の第４の実施の形態に関する説明において、上述した第１，第２および第３の実施の形態と同様の構成に関しては説明を簡略化または省略し、かつ同一の構成のものに関しては同一の符号を付するものとする。
【００９７】
図９（Ａ）は、第４の実施の形態の簡易紫外線測定器５１の全体を示した正面図である。図９（Ｂ）は、図９（Ａ）のＢ−Ｂ断面図である。本発明の第４の実施の形態の簡易紫外線測定器５１は、所定の厚みのある平板状のほぼ無色透明な可視光透過性部材５２を有している。
【００９８】
可視光透過性部材５２は、一般に「蛍光アクリル」と呼ばれるもので、紫外線を吸収して可視光を発光する蛍光物質２を内部にきわめて多数含有したほぼ均質な物質をファイバー状に成型したものとなっている。そして、その外形が、５ｃｍＸ１０ｃｍ程度の略長方形の板状とされ、外観上、ほぼ無色透明とされている。可視光透過性部材５２は、可視光に対する屈折率が外部側より内部側の方が高いため、外部から内部へ進入してきた可視光および内部で発光した可視光の中である程度入射角の小さいものは内部と外部との境界面において全反射しながら進行していく。
【００９９】
この可視光透過性部材５２の平面部５２ｃおよびこの平面部５２ｃの裏側に配置された裏面部（図９（Ａ）における紙面裏側方向に配置される平面部）５２ｄは、地上に降り注いでいる電磁波の一部である光（紫外線を含む各種光線）を透過するように構成されており、可視光透過性部材５２の内部へ光を照射させるための入射部となっている。すなわち、可視光透過性部材５２は、紫外線Ｕを除き光を透過する部材となっている。なお、この第４の実施の形態では、平面部５２ｃおよびその裏面部５２ｄを共に入射部としたが、いずれか一方を遮光面とし、他方のみを入射部としても良い。
【０１００】
上述した入射部となっている両面（平面部５２ｃとその裏面部５２ｄ）以外の面、すなわち４つの側端面には、外部からの光を内部へ透過させず、また内側の光を外へ漏らさないように遮光する反射部５３が形成されている。また、４つの側端面のうちの１つには、紫外線Ｕを受けることによって可視光透過性部材５２の内部で発光される可視光Ｘを集光し出力するための可視光出力部５４が形成されている。なお、可視光透過性部材５２の１つの端面全体が、可視光出力部５４とされている。
【０１０１】
３つの反射部５３は、外光が内部に進入しないように遮光部になっている。また、外部から紫外線が入射部となる平面部５２ｃや裏面部５２ｄを透過して内部に進入することにより、透過性部材５２内の蛍光物質２から発光された青紫色の可視光Ｘは、反射部５３によって可視光透過性部材５２内で反射されることとなる。このため、蛍光物質２から発光された当初、可視光出力部５４側へ向かわない可視光Ｘも、反射部５３や平面部５２ｃや裏面部５２ｄに反射されながら可視光出力部５４側へ向かい、可視光出力部５４に集まることとなる。
【０１０２】
可視光透過性部材５２の内部には、日光中のエネルギーの高い紫外線の照射を受けると、エネルギーの低い可視光Ｘを発光する蛍光物質２がきわめて多数含有されている（図９では２つの蛍光物質２のみを示している）。この蛍光物質２は、４００ｎｍ（ナノメーター）以下の波長を有する紫外線Ｕの照射を受けると、この紫外線Ｕを励起源として、４００ｎｍ〜７００ｎｍの間の所定の波長となる可視光Ｘを発光するもので構成されている。なお、この実施の形態では、可視光Ｘとして青紫色が採用されている。
【０１０３】
このため、可視光透過性部材５２の平面部５２ｃもしくはその裏面部５２ｄに紫外線Ｕが照射されると、紫外線が平面部５２ｃもしくはその裏面部５２ｄから可視光透過性部材５２内に透過して内部に進行する。そして、可視光透過性部材５２の内部に含まれた蛍光物質２に紫外線Ｕが照射される。これを受けて、多数の蛍光物質２は、可視光Ｘを全体として全方向に発散させることとなる。
【０１０４】
平面部５２ｃもしくはその裏面部５２ｄの内側の面は、内部で発光された可視光Ｘのうち平面部５２ｃもしくはその裏面部５２ｄの内側の面に対する入射角が小さいものを全反射する全反射面となる。このため、可視光透過性部材５２の内部で発光され全方向に広がる可視光Ｘのうち入射角が小さい可視光Ｘは、平面部５２ｃもしくはその裏面部５２ｄの内側の面で全反射されながら水平面方向のあらゆる方向へ進むこととなる。なお、水平面方向のうち可視光出力部５４以外の方向へ進んでいった可視光Ｘは、３つある反射部５３のうちのどれかに１回あるいは数回反射されてやがて可視光出力部５４へ集められる。
【０１０５】
可視光透過性部材５２の４つの側端面のうちの１つが、蛍光物質２から発光された可視光Ｘを集光し出力する可視光出力部５４とされ、その可視光出力部５４に隣接して光発電部材となる太陽電池５５が設けられている。図１０に示すように、この太陽電池５５は、表面に表電極５５ａ１を備えたｎ型シリコン５５ａと、裏面に裏電極５５ｂ１を備えたｐ型シリコン５５ｂとをｐｎ接合した半導体パネルで構成されている。そして、ｎ型シリコン５５ａの表電極５５ａ１とｐ型シリコン５５ｂの裏電極５５ｂ１とは電気的に接続されている。ｎ型シリコン５５ａの表面に可視光Ｘが入射されると、両シリコン５５ａ，５５ｂ内の正孔（図１０中において（＋）で示している）はｐ型シリコン５５ｂ側に、電子（図１０中において（−）で示している）はｎ型シリコン５５ａ側にそれぞれ移動する（移動しなくても良い場所に存在していた正孔および電子はそのままの場所に滞在する）。これにより、両電極５５ａ１，５５ｂ１を接続する電線に、入射された可視光Ｘの量に応じた大きさの電流が流れる。
【０１０６】
なお、ｎ型シリコン５５ａの表面に取り付けられた表電極５５ａ１の一端、およびｐ型シリコン５５ｂの裏面に取り付けられた裏電極５５ｂ１の一端は、それぞれ測定手段となるガルバノメータ５６に接続されている。このため、可視光出力部５４に可視光Ｘが集光され隣接する太陽電池５５（具体的にはｎ型シリコン５５ａ）に可視光Ｘが当たると、可視光出力部５４に集光し出力された可視光Ｘの量、すなわちｎ型シリコン５５ａに当たる可視光Ｘの量に伴ってガルバノメータ５６の針５６ａが所定位置まで作動する。これによって、この実施の形態の簡易紫外線測定器５１は、可視光透過性部材５２の平面部５２ｃもしくはその裏面部５２ｄに入射した紫外線Ｕの量に応じて発光された可視光Ｘの量をガルバノメータ５６によって電気的数値で測定することができる。
【０１０７】
なお、太陽電池５５のｎ型シリコン５５ａが可視光出力部５４を覆うように貼着され、太陽電池５５が全体として可視光透過性部材５２の長手方向端部に配置されることとなる。そして、この可視光出力部５４および太陽電池５５が配置された部位近傍における可視光透過性部材５２の平面部５２ｃおよびその裏面５２ｄには、この可視光出力部５４や太陽電池５５に外光が直接進入するのを防止するための反射板５７が平面部５２ｃ、太陽電池５５、裏面部５２ｄを一体的に覆うように取り付けられている。すなわち、この反射板５７は、可視光透過性部材５２内で発光される可視光Ｘを集光し出力する可視光出力部５４、および可視光量を計測するための太陽電池５５を保護するためのものとなっている。
【０１０８】
上述の各実施の形態は、本発明の好適な実施の形態の例であるが、これらに限定されるものではなく、本発明の要旨を逸脱しない範囲において、種々変形実施可能である。たとえば、上述の第１の実施の形態の簡易紫外線測定器１では、可視光透過性部材３の直径を２〜３ｍｍ程度、長さを８ｃｍ程度としたが、これらの数値に限定されるものではなく、もっと大きくかつ長くても良いし、小さくかつ短くても良い。また、直径を大きくし、長さをそのままあるいは短く構成しても良い。逆に、直径をそのままあるいは小さくし、長さを長く構成しても良い。
【０１０９】
なお、可視光透過性部材３の長さを長く構成すると、その分、紫外線Ｕの入射面を広く確保することとなり、紫外線Ｕの入射量を増やすことができる。このため、紫外線Ｕの光量および紫外線Ｕを受けて発光する可視光Ｘの光量が増加し、これに伴って、可視光透過性部材３の可視光出力部４における色が濃くなるため、可視光出力部４における視認性が向上することとなる。この結果、より紫外線Ｕの照射方向および光量の測定が容易となる。上述の第１の実施の形態では、可視光透過性部材３の外周側面３ａ全体を紫外線入射部として利用しているが、外周側面３ａの一部のみを紫外線入射部とし、外周側面３ａの他の部分を光を遮るもので覆うようにしても良い。
【０１１０】
また、第１から第４の各実施の形態では、可視光透過性部材の可視光出力部の面積を紫外線入射部となる部位の面積の１／４以下で１／５０以上としたが、持ち運びの不便さを少し犠牲にする場合には１／１００以上としても良い。
【０１１１】
また、上述の第１の実施の形態では、７つの可視光透過性部材３を備え、そのうちの１つを中心部に配置すると共に、その他の６つをその周囲に配置し、かつ外周部分を接線Ｙで接続した際に正６角形となるように構成したが、可視光透過性部材３は複数でも、また第２の実施の形態のように単数でも良い。なお、２つ以上で構成すると、上述の第１の実施の形態のように、可視光出力部４を比較することにより、紫外線Ｕの入射方向を測定することができる。その場合、３つの可視光透過性部材３をそれぞれ１２０度離れた他の２つの可視光透過性部材３の外周側面３ａに接触させて正三角形を形成するように配置しても良いし、４つの可視光透過性部材３をそれぞれ９０度離れた他の２つの可視光透過性部材３の外周側面３ａに接触させ、他の対角に配置される１つの可視光透過性部材３には接触させないように配置して略正方形を形成するようにしても良い。そのように構成すると、可視光が出力される可視光出力部と可視光が出力されない可視光出力部との色の違いが顕著となり、紫外線Ｕの入射方向の測定がし易い。
【０１１２】
すなわち、第１の実施の形態の簡易紫外線測定器１のように、可視光透過性部材３を２つ以上設けると、紫外線Ｕの入射方向によっては、他の可視光透過性部材３と重なるため、紫外線Ｕがほとんど入射されない可視光透過性部材３が出来る。このため、紫外線Ｕの入射方向を検出することができ、さらに各可視光透過性部材３の可視光出力部４における色の対比をすることにより、紫外線Ｕの光量を視認することができる。
【０１１３】
また、上述の第１の実施の形態の簡易紫外線測定器１によれば、中心部に配置された中心部可視光透過性部材３Ａも、周囲に配置された周囲可視光透過性部材３Ｂと同様に、内部に紫外線Ｕを受けると可視光Ｘを発光する蛍光物質２を含んだ構成としたが、紫外線Ｕが内部にほとんど入射されることはなく可視光Ｘを発光することはない。したがって、中心部に配置される部材は、紫外線Ｕの入射がない状態時における周囲可視光透過性部材３Ｂの可視光出力部４の色と同色の端面を備え、蛍光物質２を有しない同形状の単なる長尺部材としても良い。これにより、周囲可視光透過性部材３Ｂに紫外線Ｕが入射した際の、色の対比用として利用することができる。
【０１１４】
また、第４の実施の形態では、平板状の可視光透過性部材５２を採用したが、断面正方形の角柱状のものとしたり、断面円形の円柱状のもの等他の形状としても良い。円柱状の場合、第１の実施の形態と同様に側面全体を入射部とし、他端に反射部５３を設け、一端側に可視光出力部と太陽電池５５を設ける構成とするのが好ましい。
【０１１５】
また、第４の実施の形態のガルバノメータの代わりに、電圧の大きさによっていろ変位部分の量が変化する板状の電圧測定器を配置したり、電流が電圧の大きさによって点灯する粒を異ならせるデジタル表示の電流計や電圧計を配置しても良い。また、上述の第４の実施の形態では、太陽電池５５を可視光透過性部材５２の１つの端面全体に配置しているが、１つの端面の一部に配置したり、複数の端面全体に配置するようにしても良い。複数の端面に太陽電池５５を配置する場合、反射部５３を取り除き、代わりに太陽電池５５を配置する必要が生ずる。
【０１１６】
【発明の効果】
本発明の簡易紫外線測定器および紫外線測定器付きアクセサリーによれば、従来の紫外線測定装置とは異なり、コンパクトで一般の人々が外出時に気軽に持ち歩くことができる。
【図面の簡単な説明】
【図１】本発明の第１の実施の形態の簡易紫外線測定器の全体を示した正面図である。
【図２】図１の簡易紫外線測定器を矢示ＩＩ方向から見た側面図である。
【図３】図１の簡易紫外線測定器を構成する複数の透過性部材の一つの構成を示した模式図である。
【図４】図１の簡易紫外線装置を備えたアクセサリーを示した平面図である。
【図５】図４のアクセサリーを示した斜視図である。
【図６】本発明の第２の実施の形態の簡易紫外線測定器の全体を示した分解斜視図である。
【図７】図６の簡易紫外線測定器の可視光透過性部材に、遮光部材を装着した状態を示した要部平面図である。
【図８】本発明の第３の実施の形態の簡易紫外線測定器の全体を示した斜視図である。
【図９】本発明の第４の実施の形態の簡易紫外線測定器の全体を示した図で、（Ａ）はその正面図、（Ｂ）は（Ａ）のＢ−Ｂ断面図である。
【図１０】図９の簡易紫外線測定器の太陽電池を示した模式図である。
【符号の説明】
１  簡易紫外線測定器
２  蛍光物質
３  可視光透過性部材
３ａ  外周側面
４  可視光出力部
５  反射部
１０  アクセサリー
１１  保持部材
１３  ホルダー部材
Ｕ  紫外線
Ｘ  可視光
【図１】
0003552051.tif 000002
【図２】
0003552051.tif 000003
【図３】
0003552051.tif 000004
【図４】
0003552051.tif 000005
【図５】
0003552051.tif 000006
【図６】
0003552051.tif 000007
【図７】
0003552051.tif 000008
【図８】
0003552051.tif 000009
【図９】
0003552051.tif 000010
【図１０】
0003552051.tif 000011